(57)【要約】【課題】  複数の脚体で天板を支持してなるテーブルにおいて、隣り合う互いの天板を突き合わせた状態で２つ以上並設して使用する際に、突合せ箇所の前に座る人のひざや足が脚体に当たって邪魔になるという問題を解消する。【解決手段】  テーブル１は、平面視横長矩形で中実状の天板２と、当該天板２の一側部を下方から支持する略円柱状の２本の固定脚体３と、他側部を下方から支持する略円柱状の２本の可動脚体４とを備える。天板２と各可動脚体４とを、天板２の短手側縁面２ｂに沿った前後方向ＶＥに可動脚体４を案内保持する案内手段１１を介して取り付ける。これにより、摺動ストロークＳＴの範囲内であれば、各可動脚体４の天板２に対する取付け位置を変更・調節することができる。【選択図】  図１
2006136551.tif 000002
【特許請求の範囲】
【請求項１】
天板と、この天板をその周縁寄りの部位で支持する複数の脚体とを備えており、単体で独立して使用することと、天板同士を突き合わせた状態で複数個を並設して使用することとが可能になっているテーブルであって、
前記天板のうち複数個のテーブルを並設したときに隣の天板と突き合さる箇所の近傍に位置する少なくとも１つの脚体は、前記突合せ箇所に向かって座る人の足元から離れる方向に位置変更可能となるように、前記天板の下面に取り付けられた可動脚体である、
テーブル。
【請求項２】
前記天板の下面側には、前記脚体を案内して異なる取付け位置にて選択的に保持する案内手段を備えている、
請求項１に記載したテーブル。
【請求項３】
前記天板は平面視略矩形状であり、前記可動脚体は前記天板の奥行き方向に沿って位置変更可能に構成されており、前記案内手段は、前記可動脚体の上端部に設けられた摺動部材と、天板の下面に固定されていて前記摺動部材が摺動可能で且つ下向き抜け不能に嵌め込まれているガイド部材とにより構成されており、
前記可動脚体は、前記摺動部材を摺動不能に保持することによって又はロックレバー等の固定手段によって、前記天板又はガイド部材に対して異なる取付け位置にて固定可能となっている、
請求項２に記載したテーブル。
【請求項４】
前記天板は平面視略矩形状であり、前記案内手段は、前記天板の下面に対して水平回動可能に取り付けられたビーム部材であり、当該ビーム部材は、水平回動することによってその全部が前記天板の下面に隠れた姿勢と、その一部が前記天板の外側に露出した姿勢とに姿勢変更可能な長さに設定されており、このビーム部材のうち回動中心から離れた部位に前記脚体を取付けることにより、ビーム部材の回動によって脚体の取付け位置が天板の奥行き方向に変更可能となっており、
更に、前記ビーム部材のうちその回動中心から離れた部位は、ねじ等の締結具によって、前記ビーム部材が前記隠れた姿勢では前記天板の下面に固定可能であり、前記露出した姿勢では複数個のテーブルを並設したときの隣の天板の下面に固定可能となっている、
請求項２に記載したテーブル。
【発明の詳細な説明】
【技術分野】
【０００１】
本発明は、オフィス、家庭又は学校等の様々な場所で用いられるテーブルの構造に関するものである。
【背景技術】
【０００２】
従来から、平面視矩形状の天板を複数の脚体で支持してなるテーブルは各種提供されている（例えば特許文献１参照）。この種のテーブルは、単体で使用するだけでなく、隣り合う互いの天板の側縁面を突き合わせた状態で２つ以上並設して使用することがある。
【０００３】
前述のように複数のテーブルを並設する使用形態では、例えば隣り合う互いの天板の突合せ箇所の前にも人を座らせる等して、できるだけ多くの人をテーブルの前に座らせる（できるだけ多くの人にテーブルを使用させる）ようにすることが多い。
【特許文献１】実開平３−１２９３２２号公報
【発明の開示】
【発明が解決しようとする課題】
【０００４】
ところで、前記従来のテーブルでは、天板の下面側の四隅部（４箇所のコーナ部）にそれぞれ脚柱（計４本）を取り付けているから、前述のように複数のテーブルを並設した場合は、隣り合った天板同士の突合せ箇所付近に、脚体が２本ずつ並んで存在することになる。
【０００５】
このため、前記複数のテーブルの前に複数人が並んで座れるように、突合せ箇所の前にも人を座らせると、当該人のひざや足が前述の２本並んだ脚体に当たって邪魔になり、かかる突合せ箇所では天板を使いにくいという問題があった。
【０００６】
そこで、本発明は、このような問題を解消したテーブルを提供することを技術的課題とするものである。
【課題を解決するための手段】
【０００７】
この技術的課題を解決するため、請求項１の発明は、天板と、この天板をその周縁寄りの部位で支持する複数の脚体とを備えており、単体で独立して使用することと、天板同士を突き合わせた状態で複数個を並設して使用することとが可能になっているテーブルであって、前記天板のうち複数個のテーブルを並設したときに隣の天板と突き合さる箇所の近傍に位置する少なくとも１つの脚体は、前記突合せ箇所に向かって座る人の足元から離れる方向に位置変更可能となるように、前記天板の下面に取り付けられた可動脚体であるというものである。
【０００８】
請求項２の発明は、請求項１に記載したテーブルにおいて、前記天板の下面側には、前記脚体を案内して異なる取付け位置にて選択的に保持する案内手段を備えているというものである。
【０００９】
請求項３の発明は、請求項２に記載したテーブルにおいて、前記天板は平面視略矩形状であり、前記可動脚体は前記天板の奥行き方向に沿って位置変更可能に構成されており、前記案内手段は、前記可動脚体の上端部に設けられた摺動部材と、天板の下面に固定されていて前記摺動部材が摺動可能で且つ下向き抜け不能に嵌め込まれているガイド部材とにより構成されており、前記可動脚体は、前記摺動部材を摺動不能に保持することによって又はロックレバー等の固定手段によって、前記天板又はガイド部材に対して異なる取付け位置にて固定可能となっているというものである。
【００１０】
請求項４の発明は、請求項２に記載したテーブルにおいて、前記天板は平面視略矩形状であり、前記案内手段は、前記天板の下面に対して水平回動可能に取り付けられたビーム部材（回動部材といってもよい）であり、当該ビーム部材は、水平回動することによってその全部が前記天板の下面に隠れた姿勢と、その一部が前記天板の外側に露出した姿勢とに姿勢変更可能な長さに設定されており、このビーム部材のうち回動中心から離れた部位に前記脚体を取付けることにより、ビーム部材の回動によって脚体の取付け位置が天板の奥行き方向に変更可能となっており、更に、前記ビーム部材のうちその回動中心から離れた部位は、ねじ等の締結具によって、前記ビーム部材が前記隠れた姿勢では前記天板の下面に固定可能であり、前記露出した姿勢では複数個のテーブルを並設したときの隣の天板の下面に固定可能となっているというものである。
【発明の効果】
【００１１】
本発明のように構成すると、天板のうち複数個のテーブルを並設したときに隣の天板と突き合さる箇所の近傍に位置する少なくとも１つの可動脚体を、前記突合せ箇所に向かって座る人の足元から離れた位置に簡単にセット（変更・調節）することができるから、隣り合う互いの天板を突き合わせた状態で複数個のテーブルを並設した場合であっても、前記可動脚体が前記突合せ箇所の前に座る人の足元で邪魔になることを防止又は著しく抑制することができ、ユーザーにとって使い勝手が向上するという効果を奏する。
【００１２】
請求項２〜４の発明は、請求項１の発明に係るテーブルの構造をより具体化したものであり、いずれの発明においても、請求項１の作用効果を確実に奏することができる。
【発明を実施するための最良の形態】
【００１３】
以下に、本発明を具体化した実施形態を図面（図１〜図１３）に基づいて説明する。
【００１４】
図１〜図５は本発明を適用したテーブル１の第１実施形態を示している。まず、テーブル１全体の概要について説明する。図１は本発明を適用したテーブルの使用形態の一例を示す概略斜視図、図２は単体のテーブルを下方から見た分離斜視図、図３は天板と可動脚体との連結態様を示す側断面図、図４は天板と可動脚体との連結態様を示す正断面図、図５は隣り合った２つのテーブルを下面側から見た要部拡大図である。
【００１５】
図１に示すように、第１実施形態のテーブル１は、平面視横長矩形で中実状の天板２と、当該天板２の一側部を下方から支持する略円柱状の２本の固定脚体３と、他側部を下方から支持する略円柱状の２本の可動脚体４とを備えている。図１では、２つのテーブル１，１が隣り合う互いの天板２，２における可動脚体４，４側の短手側縁面２ｂ，２ｂを突き合わせた状態で並べて配置されている。
【００１６】
テーブル１における天板２と各固定脚体３とは、平面視略矩形板状のプレート体６を介して着脱可能に取り付けられている。第１実施形態では、天板２の下面のうち一側部の両コーナ部２ｃ，２ｃに下向き開放状の矩形穴５がそれぞれ形成されている一方、各固定脚体３の上端面にプレート体６が上方からの１本のねじ７でねじ止めされている。そして、天板２側の各矩形穴５に固定脚体３上のプレート体６を嵌め込んだ状態で、当該プレート体６が天板２に対して下方からの複数本のねじ８でねじ込み固定されている（図２参照）。この場合、固定脚体３上のプレート体６は、天板２側の矩形穴５内にきっちりと収まり、プレート体６の底面と天板２の下面とは側面視で同一面状となっている。
【００１７】
天板２と各可動脚体４とは、天板２の短手側縁面２ｂに沿った前後方向ＶＥ（奥行き方向）に可動脚体４を案内するための案内手段１１を介して着脱可能に取り付けられている。第１実施形態の両可動脚体４は、天板２の下面のうち他側部の両コーナ部２ｄ，２ｄに配置されている。
【００１８】
なお、第１実施形態の各天板２は、横幅略１６００ｍｍ×縦幅略９００ｍｍのものである。その上面（表面）にはメラミン化粧板張り等の処理が施されている。各脚体３，３，４，４の下端面には、高さ調節用のアジャスタ９がねじ込み固定されている。第１実施形態の天板２及び各脚体３，３，４，４は木製等のものである。
【００１９】
第１実施形態のテーブル１では、天板２の下面のうち両可動脚体４，４間の短手周縁部を除く三辺の周縁部に、当該周縁部に沿って延びる凹溝１０が凹み形成されている。この凹溝１０に例えば車椅子に乗った人が指を掛けて、車椅子をテーブル１側へ引き寄せることにより、前記人が天板２を使い易い着座位置にまで、前記車椅子を簡単に移動させることができる。また、指を掛けるための凹溝１０は天板２の下面に凹み形成しているので邪魔にならず、前記車椅子を所定の着座位置にまでスムーズに進入させることができる。
【００２０】
次に、案内手段１１の構成について説明する。図１に示す各テーブル１の案内手段１１はどれも同一の構造であるから、以下では、図１の左側に位置するテーブル１のうち右手前側の案内手段１１を代表としてその構造を説明する。
【００２１】
案内手段１１は、天板２の下面側に設けられた前後長手のガイド部材１２と、可動脚体４側に設けられた摺動部材１３とにより構成されている。
【００２２】
図１〜図４に示すように、ガイド部材１２は、前後に長い矩形板状のプレート板１４上に、その長手方向に延びる断面上向きコ字状のガイドレール１５を溶接等で固定してなるものである。ガイドレール１５の底板とプレート板１４とが重なる部位には、その長手方向に延びるガイド溝穴１６が上下に貫通するように形成されている。
【００２３】
一方、摺動部材１３は、ガイドレール１５内に前後摺動可能で且つ左右ずれ不能に嵌め込まれた平面視略矩形状のスライド板ナット１７と、ガイド溝穴１６を介してスライド板ナット１７を可動脚体４の上端面に連結するハンガーボルト１８とを備えている。
【００２４】
第１実施形態では、ガイドレール１５内に嵌め込まれたスライド板ナット１７及びスプリングワッシャ１９にハンガーボルト１８が上方から挿通され、このハンガーボルト１８がガイド溝穴１６を介して可動脚体４の上端面にねじ込み固定されている。これにより、スライド板ナット１７とハンガーボルト１８とは、ガイド部材１２に対して前後摺動可能で且つ下向き抜け不能にとなっている。この場合、ガイドレール１５における一対の立状側板１５ａ，１５ａとスライド板ナット１７の間にごく僅かの隙間を設けるか、又は多少の摩擦を持った状態で密着させることにより、ガイドレール１５内でのスライド板ナット１７の前後摺動が許容されている。可動脚体４の摺動ストロークＳＴは前後方向に略２００ｍｍ程度に設定されている。
【００２５】
天板２の下面のうち他側部のコーナ部２ｄには、プレート板１４及びガイドレール１５の外形に略沿う段付き形状の嵌合穴２０が形成されている。この嵌合穴２０に可動脚体４上のガイド部材１２を嵌め込んだ状態で、ガイド部材１２のプレート板１４が天板２に対して下方からの複数本のねじ２１でねじ込み固定されている。この場合も、可動脚体４上のガイド部材１２は、天板２側の嵌合穴２０内にきっちりと収まり、プレート板１４の底面と天板２の下面とは側面視で同一面状となっている。
【００２６】
なお、単体のテーブル１においては、両可動脚体４，４を天板２の前後方向中央側の位置（図１の一点鎖線状態及び図３の二点鎖線状態参照）にセットした場合であっても、４本の脚体３，３，４，４により、天板２が略水平な姿勢で安定的に支持されるように設定されている。換言すると、第１実施形態の各テーブル１は、各可動脚体４の取付け位置の違いに拘らず、４本の脚体３，３，４，４で安定的に自立する（自立安定性を維持する）ように構成されている。
【００２７】
以上の構成において、各可動脚体４を図２の矢印ＳＬ方向に１〜２回転ほど回転操作すると、この回転に伴ってハンガーボルト１８が緩んで、可動脚体４とプレート板１４との間に上下方向の隙間が空く。その結果、スライド板ナット１７と可動脚体４の上端面とによるプレート板１４及びガイドレール１５の底板の挟み付けが緩む。これにより、スライド板ナット１７ひいては可動脚体４は、ガイドレール１５に沿って前後スライドすることができる。
【００２８】
摺動ストロークＳＴの範囲内の所定位置において、各可動脚体４を図２の矢印ＦＡ方向に回転操作すると、この回転に伴ってハンガーボルト１８が可動脚体４の上端面にねじ込まれて、プレート板１４及びガイドレール１５の底板がスライド板ナット１７と可動脚体４の上端面とで上下から強固に挟み付けられる。これにより、スライド板ナット１７がガイドレール１５に対して摺動不能に保持され、その結果、可動脚体４が前述の所定位置に固定されることになる。
【００２９】
従って、第１実施形態のテーブル１によると、各可動脚体４を、ガイド部材１２の摺動ストロークＳＴの範囲内で前後方向ＶＥに自在に移動させることができ、当該摺動ストロークＳＴの範囲内であれば、各可動脚体４の天板２に対する取付け位置を連続的に変更・調節することが簡単に行える。換言すると、両可動脚体４，４間の前後幅寸法を、摺動ストロークＳＴの２倍の範囲内で簡単に調整することができる。
【００３０】
これにより、隣り合う互いの天板２，２における可動脚体４，４側の短手側縁面２ｂ，２ｂを突き合わせた状態で２つのテーブル１，１を並設した場合に（図１参照）、両テーブル１，１において隣り合った２組の可動脚体４，４を、各天板２の前後方向中央側の位置（突合せ箇所の前に座る人から離れた位置）にセットすることができるから、例えば両テーブル１，１の前に複数人が並んで座るとしても、前述した２組の可動脚体４，４が突合せ箇所の前に座る人の足元で邪魔になることはほとんどなく、ユーザーにとって使い勝手が向上する。
【００３１】
また、第１実施形態では、案内手段１１として、ガイドレール１５内に嵌め込まれたスライド板ナット１７と可動脚体４の上端面とを、ガイド部材１２のガイド溝穴１６を介して上方からのハンガーボルト１８で連結する構成を採用したので、各可動脚体４を回転及び摺動操作するだけで、天板２から取り外したりスパナやドライバ等の道具を用いたりすることなく、ガイド部材１２の摺動ストロークＳＴの範囲内でその取付け位置を手軽に変更・調節することができる。これにより、各可動脚体４の取付け位置を調節する作業が大変やり易いのである。
【００３２】
天板２の前後方向に沿った異なる取付け位置にて可動脚体４を選択的に固定（保持）する手段としては、可動脚体４をロック姿勢とロック解除姿勢とに選択的に切り替えるロックレバーを採用したり、固定用のねじを採用したりしてもよい。
【００３３】
隣り合う互いの天板２，２を突き合わせた状態で２つのテーブル１，１を並設した場合は、これら両テーブル１，１の自立安定性の向上のために、両テーブル１，１において隣り合ったプレート板１４，１４の長手中途部を、両天板２，２の下面に跨って延びる連結プレート２２（第１実施形態では２つ）で連結するのが好ましい。
【００３４】
このように構成すると、両テーブル１，１の自立安定性の向上を図れるだけでなく、連結プレート２２の存在により、これに対応する可動脚体４の前後摺動を規制することもできる。
【００３５】
図６に示すように、案内手段１１としての各ガイド部材１２は、天板２の下面のうち他側部の両コーナ部２ｄに左右方向ＨＯに延びるように設けてもよい。このように構成した場合も、突き合わせ状態で並設された２つのテーブル１，１において隣り合った２組の可動脚体４，４を、各天板２の左右方向中央側の位置、すなわち突合せ箇所の前に座る人から離れた位置にセットすることができるから、前述した２組の可動脚体４，４が突合せ箇所の前に座る人の足元で邪魔になることはほとんどないのである。
【００３６】
図７はガイド部材の別例を示す第２実施形態である。この例では、ガイドレール１５の底板に、スライド板ナット１７が上方から嵌合する複数の係合凹所２３（図６では４箇所）を、当該ガイドレール１５の長手方向（前後方向ＶＥ）に沿って飛び飛びに凹み形成している点において、第１実施形態と相違している。その他の構成はほぼ第１実施形態と同様である。
【００３７】
このように構成すると、各可動脚体４を回転操作して任意の係合凹所２３にスライド板ナット１７を係脱させることにより、各可動脚体４の前後位置を、摺動ストロークＳＴの範囲内で選択的（段階的）に変更・調節して保持することができる。
【００３８】
図８（ａ）（ｂ）に示す第３実施形態では、隣り合う互いの天板２，２における一方の短手側縁面２ｂ，２ｂを突き合わせた状態で２つのテーブル１，１を並設した場合において、断面上向き略コ字状のガイド部材２４が、そのコ字状部を両天板２，２の突合せ箇所（短手側縁面２ｂ，２ｂ）に沿わせるようにして、当該両天板２，２の下面側のコーナ部２ｄ，２ｄに跨って設けられている。ガイド部材２４におけるコ字状部の底板には、その長手方向に延びるガイド溝穴２５が上下に貫通するように形成されている。ガイド部材２４のコ字状部内に嵌め込まれたスライド板ナット１７には、ハンガーボルト１８が上方から挿通され、このハンガーボルト１８がガイド溝穴２５を介して可動脚体４の上端面にねじ込み固定されている。その他の構成は第１実施形態と同じである。
【００３９】
このように構成すると、隣接する天板２，２同士で前後一対の可動脚体４，４を共用することができるので、余分な可動脚体４を減らして、隣接配置された複数のテーブル１の外観をすっきりさせることができる。
【００４０】
図９に示す第４実施形態では、天板２の下面のうち他側部の各コーナ部２ｄに、下向きに開口する複数のねじ穴２６が、当該コーナ部２ｄの外周側の側縁面２ａ，２ｂに沿って略Ｌ字状に適宜間隔で並ぶように形成されている。可動脚体４の上端面の略中心箇所には、上向きに突出するボルト２７が設けられている。その他の構成は第１実施形態と同様である。
【００４１】
このように構成すると、各可動脚体４を回転操作して、天板２側の任意のねじ穴２６に可動脚体４側のボルト２７をねじ込んだり緩めたりすることにより、第１〜第３実施形態で示した案内手段を用いなくても、各可動脚体４の前後位置の変更・調節を段階的に行うことができる。しかも、ねじ穴２６がコーナ部２ｄの短手側縁面２ｂ寄りの部位だけでなく長手側縁面２ａ寄りの部位に形成されているので、可動脚体４の取付け位置を長手側縁面２ａに沿った左右方向にも段階的に変更・調節することもできる。
【００４２】
図１０及び図１１は案内手段の別例を示す第５実施形態である。この例では、天板２の下面のうち他側部側の各角穴３２に嵌め込み固定された支持プレート３１に、各可動脚体４の上端部に固着された断面下向きコ字状の水平ブラケット３３の先端部が、リベット３４でかしめ付け固定されている。
【００４３】
これにより、各可動脚体４は、天板２における他側部のコーナ部２ｄから離れる（突合せ箇所に向かって座る人の足元から離れる）方向に移動するように、リベット３４回りに水平回動可能に構成されている。
【００４４】
各可動脚体４の上端部には、水平ブラケット３３とは別に、角筒状の補助ブラケット３５も固着されている。所定の回動位置（図１０の一点鎖線状態参照）において、天板２における下面の所定箇所に埋め込まれた鬼目ナット３８に、補助ブラケット３５の貫通穴３６を介して締結具としての蝶ボルト３７を下方からねじ込むことにより、可動脚体４は前述の所定位置に固定されることになる（図１１参照）。補助ブラケット３５の先端部には樹脂キャップ３９が嵌め込まれている。その他の構成は第１実施形態と同様である。
【００４５】
このように構成した場合も、各可動脚体４をリベット３４回りに回動移動させることができ、当該リベット３４回りの回動範囲内であれば、各可動脚体４の天板２に対する取付け位置を連続的に変更・調節することができる。
【００４６】
また、詳細は図示していないが、水平ブラケット３５を、水平回動することによってその全部が天板２の下面に隠れた姿勢と、その先端部が天板２の外側に露出した姿勢とに姿勢変更可能な長さに設定することも可能である。そうすると、水平ブラケット３５の先端部が天板２の外側に露出した姿勢で、蝶ボルト３７等の締結具によって、回動中心（リベット３４の位置）から離れている補助ブラケット３５を複数個のテーブルを並設したときの隣の天板２の下面に固定することにより、並設された両テーブル１，１の自立安定性の向上に寄与することができる。
【００４７】
図１２の第６実施形態及び図１３（ａ）（ｂ）の第７実施形態も、案内手段の別例を示したものである。そのうち第６実施形態は第５実施形態の変形例である。この例では、天板２における他側部の両コーナ部２ｄ，２ｄの下方に位置する２つの可動脚体４，４が案内手段としての水平長手のビーム部材４１（回動部材といってもよい）で連結されている。このビーム部材４１は、第５実施形態の水平ブラケット３３に代わるものである。当該ビーム部材４１のうちその長さを等分する中心線からずれた箇所は、これに対応するように天板２の下面に取り付けられた矩形板状の支持プレート４２にリベット４３でかしめ付け固定されている。
【００４８】
案内手段としてのビーム部材４１は、水平回動することによってその全部が天板２の下面に隠れた姿勢と、その一部が天板２の外側に露出した姿勢とに姿勢変更可能な長さに設定されている。
【００４９】
ビーム部材４１が天板２の下面に隠れた姿勢のときには、ビーム部材４１のうちその回動中心から離れた部位は、ねじ等の締結具（図示せず）によって天板２の下面に固定される。ビーム部材４１の一部が天板２の外側に露出した姿勢のときには、ビーム部材４１のうちその回動中心から離れた部位は、２つのテーブル１，１を並設したときの隣側に位置する天板２の下面に固定される（図１２の一点鎖線状態参照）。その他の構成は第５実施形態と同様である。
【００５０】
このように構成すると、各可動脚体４をリベット４３回りに回動移動させて、各可動脚体４の天板２に対する取付け位置を変更・調節することができる。
【００５１】
また、ビーム部材４１をその等分箇所からずれた位置にあるリベット４３回りに水平回動させることにより、一方の可動脚体４を天板２の外側に露出させることができるので、隣り合う互いの天板２，２における可動脚体４，４側の短手側縁面２ｂ，２ｂを突き合わせた状態で、同一構造の２つのテーブル１，１を並設した場合において、図１２に一点鎖線で示すように、両ビーム部材４１，４１を互いにかち合わせることなく、両天板２，２の長手方向に沿って略平行状に並べることができる。
【００５２】
これにより、一方の天板２の外側に露出した可動脚体４で、他方の（隣側の）天板２を下方から固定支持することができるから、第１実施形態の連結プレート２２のような連結用の別部材を用いなくても、両テーブル１，１の自立安定性の向上を図れるのである。
【００５３】
図１３（ａ）（ｂ）に示す第７実施形態のテーブル５１は、平面視横長矩形で中実状の天板５２を、左右一対の略パネル状の脚体で下方から支持してなるものである。天板５２の一側部を支持する脚体は固定式のものである（図示せず）。天板５２の他側部を支持する脚体５４は、水平回動式の案内手段５５を介して天板５２の下面に取り付けられた可動脚体である。
【００５４】
この場合、天板５２の下面のうち他側部側にねじ止めされた支持プレート５６に、各可動脚体５４の上端部に固着されたブラケット５７の一端部が、リベット５８でかしめ付け固定されている。これにより、各可動脚体４は、天板５２における他側部のコーナ部５２ｄから離れる方向に移動するように、リベット５８回りに水平回動可能となっている。
【００５５】
所定の回動位置（例えば図１２（ａ）の一点鎖線状態参照）において、ブラケット５７の他端部を天板５２に対して締結具としての下方からの固定ねじ５９でねじ込み固定することにより、可動脚体４は前述の所定位置に固定される。その他の構成は第６実施形態と同様である。
【００５６】
このように構成した場合も、第６実施形態と同様に、各可動脚体５４をリベット５８回りに回動移動させて、各可動脚体５４の天板５２に対する取付け位置を変更・調節することができるし、複数のテーブル５１を並設した場合は、一方の天板５２の外側に露出した可動脚体５４の他端部で、他方の（隣側の）天板５２を下方から固定支持することもできる。
【００５７】
本発明は、前述の実施形態に限らず、様々な態様に具体化することができる。例えば天板は、平面視略矩形状に限らず、デザイン等の要請に基づいて様々な形状にすることができる。可動脚体は１つの天板に対して少なくとも１つあればよい。１つの天板を支持する脚体の数も任意に設定して構わない。
【００５８】
その他、各部の構成は図示の実施形態に限定されるものではなく、本発明の趣旨を逸脱しない範囲で種々変更が可能である。
【図面の簡単な説明】
【００５９】
【図１】第１実施形態におけるテーブルの使用形態の一例を示す概略斜視図である。
【図２】単体のテーブルを下方から見た分離斜視図である。
【図３】天板と可動脚体との連結態様を示す側断面図である。
【図４】天板と可動脚体との連結態様を示す正断面図である。
【図５】隣り合った２つのテーブルを下面側から見た要部拡大図である。
【図６】ガイド部材の取付け態様の別例を示す概略図であり、並設された２つのテーブルを上面側から見た概略図である。
【図７】第２実施形態の案内手段を示す要部拡大側断面図である。
【図８】第３実施形態の案内手段を示す図であり、（ａ）は隣り合った２つのテーブルを下方から見た概略斜視図、（ｂ）は（ａ）のＶＩＩｂ−ＶＩＩｂ視正断面図である。
【図９】第４実施形態の天板と可動脚体との連結態様を示す分離斜視図である。
【図１０】第５実施形態の単体のテーブルを上方から見た概略斜視図である。
【図１１】図１０のＸＩ−ＸＩ視断面図である。
【図１２】第６実施形態のテーブルの使用形態の一例を示す概略斜視図である。
【図１３】第７実施形態のテーブルの使用態様の一例を示す図であり、（ａ）は隣り合った２つのテーブルを上面側から見た要部拡大図、（ｂ）は（ａ）のＸＩＩＩｂ−ＸＩＩＩｂ視側断面図である。
【符号の説明】
【００６０】
１  テーブル
２  天板
２ａ  長手側縁面
２ｂ  短手側縁面
２ｃ，２ｄ  コーナ部
３  固定脚体
４  可動脚体
５  矩形穴
６  プレート体
１１  案内手段
１２  ガイド部材
１３  摺動部材
１４  プレート板
１５  ガイドレール
１６  ガイド溝穴
１７  スライド板ナット
１８  ハンガーボルト
２０  嵌合穴
【図１】
2006136551.tif 000003
【図２】
2006136551.tif 000004
【図３】
2006136551.tif 000005
【図４】
2006136551.tif 000006
【図５】
2006136551.tif 000007
【図６】
2006136551.tif 000008
【図７】
2006136551.tif 000009
【図８】
2006136551.tif 000010
【図９】
2006136551.tif 000011
【図１０】
2006136551.tif 000012
【図１１】
2006136551.tif 000013
【図１２】
2006136551.tif 000014
【図１３】
2006136551.tif 000015